(57)【要約】【課題】誤ったアドレスの採用を防ぎ、かつ、アドレスの採用基準を処理に応じて変更する。【解決手段】アドレス検出部３１は、光ディスク１のアドレスを検出する。アドレス訂正部３２は、訂正後アドレスと訂正ステータスを出力する。アドレス補正部３５は、訂正エラーのあるアドレスの場合、訂正後アドレスを補正して補正アドレスをアドレスデータとして出力し、訂正エラーのないアドレスの場合、そのままアドレスデータを出力する。アドレス連続性検査部３３は、訂正後アドレスの値の連続性を判定し、連続性判定結果を出力する。アドレスステータス設定部３４は、訂正ステータスと連続性判定結果に基づいて、アドレスデータのアドレスステータスを設定する。【選択図】図１
2010135046.tif 000002
【特許請求の範囲】
【請求項１】
所定の規則に従ってアドレスが記録されている光ディスクに情報を記録または前記光ディスクの情報を再生するピックアップと、
前記ピックアップから出力された信号から、前記光ディスクに記録されている前記アドレスを検出するアドレス検出部と、
前記アドレス検出部により検出された前記アドレスの誤りの有無を判定し、前記アドレスに誤りがあると判定された場合、誤り訂正したアドレスを訂正後アドレスとして出力し、前記アドレスに誤りがないと判定された場合、誤り訂正を行わずに検出されたアドレスをそのまま訂正後アドレスとして出力し、誤り訂正を行った際に訂正エラーがあったか否かを示す訂正ステータスを出力するアドレス訂正部と、
前記アドレス訂正部から出力された今回検出の訂正後アドレスが、訂正エラーのあるアドレスである場合、前記今回検出の訂正後アドレスの直前に前記アドレス訂正部から出力された前回検出の訂正後アドレスを補正して得られる補正アドレスをアドレスデータとして出力し、前記今回検出の訂正後アドレスが、訂正エラーのないアドレスである場合、前記今回検出の訂正後アドレスをそのまま前記アドレスデータとして出力するアドレス補正部と、
前記今回検出の訂正後アドレスの値と前記前回検出の訂正後アドレスの値とが連続しているか否か、または前記前回検出の訂正後アドレスの値と前記前回検出の訂正後アドレスの直前に前記アドレス訂正部から出力された前々回検出の訂正後アドレスの値とが連続しているか否かを判定して、連続性判定結果を出力するアドレス連続性検査部と、
前記訂正ステータスと前記連続性判定結果に基づいて、前記アドレス補正部から出力される前記アドレスデータのアドレスステータスを設定するアドレスステータス設定部と
を有することを特徴とする光ディスク記録再生装置。
【請求項２】
前記アドレス連続性検査部は、
前記今回検出の訂正後アドレスと前記前回検出の訂正後アドレスとが、それぞれ訂正エラーのないアドレスである場合、前記今回検出の訂正後アドレスの値が前記前回検出の訂正後アドレスの値と連続しているか否かを判定し、前記今回検出の訂正後アドレスに訂正エラーがあり、かつ、前記前回検出の訂正後アドレスと前記前回検出の訂正後アドレスの直前に前記アドレス訂正部から出力された前々回検出の訂正後アドレスとがそれぞれ訂正エラーのないアドレスである場合、前記前回検出の訂正後アドレスの値が前記前々回検出の訂正後アドレスの値と連続しているか否かを判定して、連続性判定結果を出力することを特徴とする請求項１記載の光ディスク記録再生装置。
【請求項３】
前記アドレスステータス設定部は、
前回までに訂正エラーのない訂正後アドレスを取得済みであるとき、
前記今回検出の訂正後アドレスと前記前回検出の訂正後アドレスとがそれぞれ訂正エラーのないアドレスで、かつ、前記今回検出の訂正後アドレスの値と前記前回検出の訂正後アドレスの値とが連続している場合は、前記アドレスデータに第１のアドレスステータスを設定し、
前記今回検出の訂正後アドレスが訂正エラーのないアドレスで、かつ、前記今回検出の訂正後アドレスの値と前記前回検出の訂正後アドレスと値が連続していない場合、または前記今回検出の訂正後アドレスが訂正エラーのないアドレスで、かつ、前記前回検出の訂正後アドレスが訂正エラーのあるアドレスの場合は、前記アドレスデータに第２のアドレスステータスを設定し、
前記今回検出の訂正後アドレスが訂正エラーのあるアドレスで、かつ、前記アドレス補正部から前回出力された前記アドレスデータに前記第１のアドレスステータスが設定されていた場合は、前記アドレスデータに第３のアドレスステータスを設定し、
前記今回検出の訂正後アドレスが訂正エラーのあるアドレスで、かつ、前記アドレス補正部から前回出力された前記アドレスデータに前記第１のアドレスステータス以外のアドレスステータスが設定されていた場合は、前記アドレスデータに第４のアドレスステータスを設定することを特徴とする請求項１または２に記載の光ディスク記録再生装置。
【請求項４】
前記アドレスステータス設定部は、
前回までに訂正エラーのない訂正後アドレスを取得済みでないとき、
前記今回検出の訂正後アドレスが訂正エラーのないアドレスである場合は、前記アドレスデータに前記第２のアドレスステータスを設定し、前記今回検出の訂正後アドレスが訂正エラーのあるアドレスである場合は、前記アドレスデータに第５のアドレスステータスを設定することを特徴とする請求項３記載の光ディスク記録再生装置。
【請求項５】
前記第１のアドレスステータスまたは前記第２のアドレスステータスに設定されている前記アドレスデータを利用して、前記光ディスクの所望のアドレスにアクセスするサーチ処理部と、
前記第１〜第４のアドレスステータスのうちいずれか一のアドレスステータスに設定されている前記アドレスデータを利用して、前記光ディスクに記録された情報を再生する再生処理部と、
前記第１のアドレスステータスまたは前記第３のアドレスステータスに設定されている前記アドレスデータを利用して前記光ディスクに情報を記録する記録処理部と
を有することを特徴とする請求項１から４のいずれか１項に記載の光ディスク記録再生装置。
【発明の詳細な説明】
【技術分野】
【０００１】
本発明は光ディスク記録再生装置に係り、光ディスクから検出したアドレスの補正機能を有する光ディスク記録再生装置に関する。
【背景技術】
【０００２】
一般に、ＣＤ(Compact Disc)やＤＶＤ(Digital Versatile Disc)、ＢＤ(Blu-ray Disc)などの光ディスクには、情報を記録再生するためのトラックが内周から外周に亘って渦巻き状、もしくは同心円状に形成されている。また、トラック内は情報の記録再生単位となるブロックやセクタに分割され、それぞれの位置情報を示すアドレスが所定の規則に従って略連続的に付与されている。
【０００３】
光ディスクの記録再生時には、このアドレスを検出することによって、所定のブロックやセクタに記録されている情報の再生、または新たな情報の記録を行う。このため、アドレスの誤検出が発生した場合やアドレスの検出エラーが発生した場合には、正しいアドレスを得ることができなくなり、結果として正常な記録再生処理が行われなくなるという問題が生じる。
【０００４】
この問題を解決する方法としては、光ディスクから検出したアドレスの連続性を確認することでアドレスの誤検出を防ぐ方法や、アドレスの検出エラーが発生した場合にそれ以前に正しく読み取ったアドレスに基づいてアドレスを補正する方法が知られている。
【０００５】
例えば特許文献１には、アドレス検出エラーが発生した場合や今回検出したアドレスが前回採用したアドレスと連続していなかった場合には、前回採用したアドレス値に「１」を加算した値を今回の採用アドレスとし、前回検出したアドレスと今回検出したアドレスとが連続していた場合には、今回検出したアドレスを今回の採用アドレスとすることにより、誤ったアドレスの採用を低減しようとするアドレス検出方法が開示されている。
【０００６】
【特許文献１】特許第３３３２５５０号公報
【発明の開示】
【発明が解決しようとする課題】
【０００７】
しかしながら、特許文献１記載のアドレス検出方法では、検出したアドレスが２つ以上連続しなければ有効なアドレスとして採用されない。そして、光ディスク上の傷や挨などによってアドレス検出エラーが頻発し、連続してアドレスを検出するのが難しい状況の場合、その間は前回採用したアドレスを順次カウントアップした補正アドレスを採用することになる。そのため、実際にアクセスしているアドレスとの相違が起こりやすいという問題が生じる。
【０００８】
また、特許文献１記載のアドレス検出方法では、トラックジャンプの発生直後は、必ずトラックジャンプ直前の採用アドレスを基にした補正アドレスを採用することになる。そのため、連続したアドレスが検出されるまでは実際のアドレスと異なった状態が続くという問題が生じる。
【０００９】
さらに、特許文献１記載のアドレス検出方法では、アドレスの採用基準が固定で、かつ、採用したアドレスが検出したアドレスであるのか、あるいは補正したアドレスであるのかが明示されていない。例えば、再生処理では連続していない検出アドレスや補正アドレスも利用し、記録処理では連続した検出アドレスだけを利用し、サーチ処理では連続した検出アドレス、連続していない検出アドレス、補正アドレスを状況に応じて使い分けて利用する場合などに対応することができない。そのため、アドレスを利用するそれぞれの処理で異なる採用基準によるアドレスを利用したい場合には、対応することができないという不都合も生じる。
【００１０】
本発明は以上の点に鑑みなされたもので、誤ったアドレスの採用を防ぎ、かつ、アドレスの採用基準を処理に応じて変更することが可能な光ディスク記録再生装置を提供することを目的とする。
【課題を解決するための手段】
【００１１】
上記の目的を達成するため、所定の規則に従ってアドレスが記録されている光ディスク（１）に情報を記録または前記光ディスクの情報を再生するピックアップ（２）と、ピックアップから出力された信号から、光ディスクに記録されているアドレスを検出するアドレス検出部（３１）と、アドレス検出部により検出されたアドレスの誤りの有無を判定し、アドレスに誤りがあると判定された場合、誤り訂正したアドレスを訂正後アドレスとして出力し、アドレスに誤りがないと判定されたときは誤り訂正を行わずに検出されたアドレスをそのまま訂正後アドレスとして出力し、誤り訂正を行った際に訂正エラーがあったか否かを示す訂正ステータスを出力するアドレス訂正部（３２）と、アドレス訂正部から出力された今回検出の訂正後アドレスが、訂正エラーのあるアドレスである場合、今回検出の訂正後アドレスの直前にアドレス訂正部から出力された前回検出の訂正後アドレスを補正して得られる補正アドレスをアドレスデータとして出力し、今回検出の訂正後アドレスが、訂正エラーのないアドレスである場合、今回検出の訂正後アドレスをそのままアドレスデータとして出力するアドレス補正部（３５）と、今回検出の訂正後アドレスの値と前回検出の訂正後アドレスの値とが連続しているか否か、または前回検出の訂正後アドレスの値と前回検出の訂正後アドレスの直前にアドレス訂正部から出力された前々回検出の訂正後アドレスの値とが連続しているか否かを判定して連続性判定結果を出力するアドレス連続性検査部（３３）と、訂正ステータスと連続性判定結果に基づいて、アドレス補正部から出力されるアドレスデータのアドレスステータスを設定するアドレスステータス設定部（３４）とを有することを特徴とする光ディスク記録再生装置を提供する。
また、アドレス連続性検査部は、今回検出の訂正後アドレスと前回検出の訂正後アドレスとがそれぞれ訂正エラーのないアドレスである場合、今回検出の訂正後アドレスの値が前回検出の訂正後アドレスの値と連続しているか否かを判定し、今回検出の訂正後アドレスに訂正エラーがあり、かつ、前回検出の訂正後アドレスと前回検出の訂正後アドレスの直前にアドレス訂正部から出力された前々回検出の訂正後アドレスとがそれぞれ訂正エラーのないアドレスである場合、前回検出の訂正後アドレスの値が、前々回検出の訂正後アドレスの値と連続しているか否かを判定して連続性判定結果を出力することが望ましい。
さらに、アドレスステータス設定部は、前回までに訂正エラーのない訂正後アドレスを取得済みであるとき、今回検出の訂正後アドレスと前回検出の訂正後アドレスとが、それぞれ訂正エラーのないアドレスで、かつ、今回検出の訂正後アドレスの値と前回検出の訂正後アドレスの値とが連続している場合は、アドレスデータに第１のアドレスステータスを設定し、今回検出の訂正後アドレスが訂正エラーのないアドレスで、かつ、今回検出の訂正後アドレスの値と前回検出の訂正後アドレスと値が連続していない場合、または今回検出の訂正後アドレスが訂正エラーのないアドレスで、かつ、前回検出の訂正後アドレスが訂正エラーのあるアドレスの場合は、アドレスデータに第２のアドレスステータスを設定し、今回検出の訂正後アドレスが訂正エラーのあるアドレスで、かつ、アドレス補正部から前回出力されたアドレスデータに第１のアドレスステータスが設定されていた場合は、アドレスデータに第３のアドレスステータスを設定し、今回検出の訂正後アドレスが訂正エラーのあるアドレスで、かつ、アドレス補正部から前回出力されたアドレスデータに第１のアドレスステータス以外のアドレスステータスが設定されていた場合は、アドレスデータに第４のアドレスステータスを設定することが望ましい。
また、アドレスステータス設定部は、前回までに訂正エラーのない訂正後アドレスを取得済みでないとき、今回検出の訂正後アドレスが訂正エラーのないアドレスである場合は、アドレスデータに第２のアドレスステータスを設定し、今回検出の訂正後アドレスが訂正エラーのあるアドレスである場合は、アドレスデータに第５のアドレスステータスを設定することが望ましい。
さらに、第１のアドレスステータスまたは第２のアドレスステータスに設定されているアドレスデータを利用して、光ディスクの所望のアドレスにアクセスするサーチ処理部（５）と、第１〜第４のアドレスステータスのうちいずれか一のアドレスステータスに設定されているアドレスデータを利用して、光ディスクに記録された情報を再生する再生処理部（４）と、第１のアドレスステータスまたは第３のアドレスステータスに設定されているアドレスデータを利用して光ディスクに情報を記録する記録処理部（６）とを備えることが望ましい。
【発明の効果】
【００１２】
本発明によれば、誤った補正アドレスを採用し続けることを防ぐことができ、特に、トラックジャンプが発生したような場合には、直ぐにトラックジャンプ直後に検出したアドレスを採用する。そのため、採用アドレスと実際にアクセスしているアドレスとのずれを防ぐことができる。
【００１３】
また、本発明によれば、採用したアドレスが検出したアドレスであるか、または補正アドレスであるかの情報に加えて、検出したアドレスの連続性や、今回検出したアドレスの訂正後アドレスに訂正エラーがあるか否かの情報に基づいて設定したアドレスステータスを、今回検出したアドレスの訂正後アドレスと共に出力するようにしている。そのため、アドレスの採用基準を記録処理、再生処理、サーチ処理などの処理に応じて適宜変更することが可能となる。
【発明を実施するための最良の形態】
【００１４】
次に、本発明を実施するための最良の形態について図面を参照して詳細に説明する。図１は、本発明になる光ディスク記録再生装置の一実施の形態のブロック図、図２は、図１の光ディスク記録再生装置において設定されるアドレスステータスの種類を説明するための図である。
【００１５】
まず、図１を用いて本実施の形態の構成と各部の動作を説明する。本実施の形態の光ディスク記録再生装置１００は、光ディスク１に対して情報を光学的に記録再生するピックアップ（ＰＵ）２と、アドレス再生部３と、再生処理部４と、サーチ処理部５と、記録処理部６と、サーボ処理部７とから構成される。
【００１６】
光ディスク１は、情報を記録再生するために渦巻状または同心円状にトラックが形成されている。また、トラック内は、情報の記録再生単位となるブロックやセクタに分割され、それぞれの位置情報を示すアドレスが所定の規則に従って付与されている。
【００１７】
ＰＵ２は、サーボ処理部７からの制御信号に従って、レーザービームを光ディスク１上のトラックに照射し、光ディスク１からの反射光を光電変換して得られる検出信号をサーボ処理部７、アドレス再生部３、再生処理部４へそれぞれ出力する。また、ＰＵ２は、記録処理部６からの記録信号に従って光ディスク１上のトラックへの情報記録を行う。
【００１８】
アドレス再生部３は、アドレス検出部３１、アドレス訂正部３２、アドレス連続性検査部３３、アドレスステータス設定部３４及びアドレス補正部３５から構成される。アドレス検出部３１は、ＰＵ２により供給される検出信号からアドレスを検出し、その検出したアドレスをアドレス訂正部３２に出力する。
【００１９】
アドレス訂正部３２は、検出したアドレスの誤り検出と誤り訂正を行い、また誤り訂正を行った際に訂正エラーがあったか否かを検出する。そして、アドレス訂正部３２は、訂正後アドレスをアドレス連続性検査部３３及びアドレス補正部３５にそれぞれ出力する。また、アドレス訂正部３２は、訂正エラーの有無を示す訂正ステータスを、アドレス連続性検査部３３、アドレスステータス設定部３４及びアドレス補正部３５にそれぞれ出力する。なお、アドレス検出部３１、アドレス訂正部３２、アドレス連続性検査部３３、アドレスステータス設定部３４及びアドレス補正部３５は不図示の制御部により制御される。
【００２０】
アドレス連続性検査部３３は、アドレス訂正部３２により供給される訂正後アドレスと訂正ステータスとに基づき、今回検出した訂正後アドレスの値が前回検出した訂正後アドレスの値に連続しているか否か、及び前回検出した訂正後アドレスの値が前々回検出した訂正後アドレスの値に連続していたか否かを判定する。
【００２１】
なお、少なくとも前回検出の訂正後アドレス及び訂正ステータス、前々回検出の訂正後アドレス及び訂正ステータス、前回出力のアドレスデータ及びアドレスステータスの情報は、不図示の１または複数のメモリに保持されている。例えば、アドレス連続検査部３３、アドレスステータス設定部３４、またはアドレス補正部３５内に、前述の訂正後アドレスや訂正ステータスの情報を保持するメモリがそれぞれ備えられている構成でもよく、アドレス再生部３全体で１つのメモリを有するなど他の構成であってもよい。
【００２２】
ここで、アドレス連続性検査部３３による今回検出の訂正後アドレスの連続性を判定する具体的な方法について説明する。アドレス訂正部３２より供給される今回検出の訂正後アドレスと前回検出の訂正後アドレスのそれぞれに訂正エラーがなく、かつ、今回検出の訂正後アドレスの値と前回検出の訂正後アドレスの値が連続している場合、アドレス連続性検査部３３は、今回検出の訂正後アドレスを連続性ありと判定し、それ以外の場合は今回検出の訂正後アドレスは連続性なしと判定する。
【００２３】
次に、アドレス連続性検査部３３による前回検出の訂正後アドレスの連続性を判定する具体的な方法について説明する。前回検出の訂正後アドレスと前々回検出の訂正後アドレスのそれぞれに訂正エラーがなく、かつ、前回検出の訂正後アドレスの値と前々回検出の訂正後アドレスの値が連続している場合、アドレス連続性検査部３３は、前回検出の訂正後アドレスは連続性ありと判定し、それ以外の場合は前回検出の訂正後アドレスは連続性なしと判定する。そして、アドレスの連続性の判定終了後、アドレス連続性検査部３３は上記より得られた今回検出の訂正後アドレス、または前回検出の訂正後アドレスについての連続性の判定結果をアドレスステータス設定部３４へ出力する。
【００２４】
アドレスステータス設定部３４は、アドレス訂正部３２より供給される訂正ステータスとアドレス連続性検査部３３より供給される連続性判定結果とアドレス補正部３５から前回出力されたアドレスデータに設定したアドレスステータスとに基づき、アドレス補正部３５から今回出力されるアドレスデータのアドレスステータスを設定する。
【００２５】
図２は、アドレス補正部３５から今回出力されるアドレスデータのアドレスステータスの種類を示し、例えばアドレスステータス設定部３４は、アドレスステータスをアドレスステータス「１」〜アドレスステータス「５」の５種類のいずれかに設定する。
【００２６】
次に、図２に示す各アドレスステータスの内容について説明する。図２に示すアドレスステータス「１」は、今回検出の訂正後アドレスに訂正エラーがなく、かつ、アドレスに連続性があること（正常−連続）を示す。アドレスステータス「２」は、今回検出の訂正後アドレスに訂正エラーがなく、かつ、アドレスに連続性がないこと（正常−不連続）を示す。アドレスステータス「３」は、今回検出の訂正後アドレスに訂正エラーがあり、かつ、アドレスに連続性があること（異常−連続）を示す。アドレスステータス「４」は、今回検出の訂正後アドレスに訂正エラーがあり、かつ、アドレスに連続性がないこと（異常−不連続）を示す。アドレスステータス「５」は、アドレスデータを基にしてアドレスを補正できないこと（失敗）を示す。
【００２７】
そして、アドレスステータス設定部３４は、設定したアドレスステータスを再生処理部４、サーチ処理部５、記録処理部６へそれぞれ出力する。なお、このアドレスステータス設定部３４でのアドレスステータス設定手順については、後述の図３、図４において詳しく説明する。
【００２８】
アドレス補正部３５には、アドレス訂正部３２より訂正後アドレスと訂正ステータスとが供給される。そして、アドレス補正部３５は、訂正後アドレスに訂正エラーがない場合は訂正後アドレスをそのまま今回検出のアドレスデータとし、訂正後アドレスに訂正エラーがある場合は前回検出のアドレスデータに所定量（アドレスの増加単位分）を加算した値を今回検出のアドレスデータとして、再生処理部４、サーチ処理部５、記録処理部６へそれぞれ出力する。
【００２９】
ただし、アドレスの再生を開始してから初回のアドレス検出である場合、または訂正エラーのないアドレスが一度も検出できていない場合において、検出したアドレスに訂正エラーがあったとき、アドレス補正部３５は、前回検出のアドレスデータを基にしてアドレスを補正することができないため、今回検出のアドレスデータを“０”として出力する。
【００３０】
サーボ処理部７は、ＰＵ２により供給される検出信号から公知の方法でサーボエラー信号を生成して、フォーカス制御処理、及びトラッキング制御処理を行い、フォーカス制御信号及びトラッキング制御信号をＰＵ２へ出力する。また、サーボ処理部７は、サーチ処理部５からの移動要求に従ってＰＵ２の位置制御処理を行い、ＰＵ２を光ディスク１の所定アドレスのトラック位置に移動させる。また、サーボ処理部７は、ＰＵ２の移動が終了した後は、サーチ処理部５に移動終了を通知する。
【００３１】
再生処理部４は、所定アドレスへのサーチ要求をサーチ処理部５に送り、サーチが終了するのを待つ。サーチ終了後、再生処理部４は、アドレス再生部３からのアドレスデータとアドレスステータスとに基づいて、所定アドレスからの情報再生処理を開始する。情報再生処理の開始後、再生処理部４は、ＰＵ２より供給される検出信号から再生信号を生成し、さらに波形整形や復調、誤り訂正等の信号処理を行うことによって再生データを出力する。
【００３２】
サーチ処理部５は、再生処理部４、記録処理部６からのサーチ要求に従って、サーチ処理を開始する。サーチ処理中、サーチ処理部５は、アドレス再生部３からのアドレスデータとアドレスステータスとに基づいて現在アドレスを確認し、現在アドレスがサーチ要求アドレスの所定範囲内となるまで、サーボ処理部７にＰＵ２の移動要求を繰り返し出力する。そして、サーチ処理部５は、現在アドレスがサーチ要求アドレスの所定範囲内となった時点でサーチ処理を終了し、再生処理部４、記録処理部６へサーチ終了を通知する。
【００３３】
記録処理部６は、再生処理部４と同様、所定アドレスへのサーチ要求をサーチ処理部５に送り、サーチが終了するのを待つ。サーチが終了した後、記録処理部６は、アドレス再生部３からのアドレスデータとアドレスステータスとに基づいて、所定アドレスからの情報記録処理を開始する。情報記録処理の開始後、記録処理部６は、記録データから生成した記録信号をＰＵ２に出力することで、光ディスク１上の所定アドレスへの情報記録を行う。
【００３４】
次に、図３のフローチャートを参照して、アドレスデータ及びアドレスステータスの第１の設定手順例を説明する。
【００３５】
最初に、アドレスステータス設定部３４及びアドレス補正部３５は、それぞれ前回出力したアドレスステータス及びアドレスデータに基づいて、前回までに訂正エラーのない有効な訂正後アドレスを取得済みであるか否かを判定する（ステップＳ３０１）。なお、本実施の形態では、アドレスステータス設定部３４及びアドレス補正部３５のそれぞれが前回出力したアドレスステータス及びアドレスデータに基づいて、有効な訂正後アドレスを取得済みであるか否かを判定するものとして説明するが、不図示の制御部が判定するなど種々の変更が可能である。
【００３６】
アドレスステータス設定部３４及びアドレス補正部３５により、前回までに有効な訂正後アドレスを取得済みでないと判定された場合（ステップＳ３０１，ＮＯ）、アドレスステータス設定部３４及びアドレス補正部３５は、訂正ステータスに基づいて、今回検出の訂正後アドレスが訂正エラーのあるアドレスであるか否かを判定する（ステップＳ３０２）。
【００３７】
アドレスステータス設定部３４及びアドレス補正部３５により、今回検出の訂正後アドレスが訂正エラーのあるアドレスであると判定された場合（ステップＳ３０２，ＹＥＳ）、アドレス補正部３５は、前回検出のアドレスデータを基にしてアドレスを補正することができないため、アドレスデータを“０”とする（ステップＳ３０５）。また、アドレスステータス設定部３４は、アドレスステータスを図２に示したアドレスステータス「５」（失敗）に設定する（ステップＳ３０６）。
【００３８】
アドレスステータス設定部３４及びアドレス補正部３５により、今回検出の訂正後アドレスが訂正エラーのないアドレスであると判定された場合（ステップＳ３０２，ＮＯ）、アドレス補正部３５は、今回検出の訂正後アドレスをそのまま出力し（ステップＳ３０３）、アドレスステータス設定部３４は、アドレスステータスを図２に示したアドレスステータス「２」（正常−不連続）に設定する（ステップＳ３０４）。
【００３９】
一方、アドレスステータス設定部３４及びアドレス補正部３５により前回までに有効なアドレスを取得済みであると判定された場合（ステップＳ３０１，ＹＥＳ）、アドレスステータス設定部３４及びアドレス補正部３５は、今回検出の訂正後アドレスに訂正エラーがあるか否かを判定する（ステップＳ３０７）。
【００４０】
アドレスステータス設定部３４及びアドレス補正部３５により、今回検出の訂正後アドレスが訂正エラーのないアドレスであると判定された場合（ステップＳ３０７，ＹＥＳ）、アドレス補正部３５は、今回検出の訂正後アドレスをアドレスデータとしてそのまま出力する（ステップＳ３０８）。
【００４１】
次に、アドレス連続性検査部３３は、前回検出の訂正後アドレスに訂正エラーがあったか否かを判定する（ステップＳ３０９）。
【００４２】
アドレス連続性検査部３３により、前回検出の訂正後アドレスに訂正エラーがないと判定された場合（ステップＳ３０９，ＮＯ）、アドレス連続性検査部３３は今回検出の訂正後アドレスの値が前回検出の訂正後アドレスの値に連続しているか否かを判定する（ステップＳ３１０）。
【００４３】
アドレス連続性検査部３３により、今回検出の訂正後アドレスの値が前回検出の訂正後アドレスの値に連続していると判定された場合（ステップＳ３１０，ＹＥＳ）、アドレスステータス設定部３４は、アドレスステータスを図２に示したアドレスステータス「１」（正常−連続）に設定する（ステップＳ３１１）。
【００４４】
一方、アドレス連続性検査部３３により、前回検出の訂正後アドレスに訂正エラーがあったと判定された場合（ステップＳ３０９，ＹＥＳ）、または今回検出の訂正後アドレスの値が前回検出の訂正後アドレスの値に連続していないと判定された場合（ステップＳ３１０，ＮＯ）、アドレスステータス設定部３４は、アドレスステータスを図２に示したアドレスステータス「２」（正常−不連続）に設定する（ステップＳ３１２）。
【００４５】
また、アドレスステータス設定部３４及びアドレス補正部３５により、今回検出の訂正後アドレスが訂正エラーのあるアドレスであると判定された場合（ステップＳ３０７，ＹＥＳ）、アドレス補正部３５は、前回検出のアドレスデータの値にα（所定のアドレス増加単位分）を加算した値の補正アドレスを今回検出のアドレスデータとして出力する（ステップＳ３１３）。
【００４６】
次に、アドレスステータス設定部３４は、前回出力したアドレスデータに設定したアドレスステータスがアドレスステータス「１」であったか否かを判定する（ステップＳ３１４）。
【００４７】
アドレスステータス設定部３４により、前回出力したアドレスデータに設定したアドレスステータスがアドレスステータス「１」であったと判定された場合（ステップＳ３１４，ＹＥＳ）、アドレスステータス設定部３４は、今回検出のアドレスデータのアドレスステータスを図２に示したアドレスステータス「３」（異常−連続）に設定する（ステップＳ３１５）。なお、ステップＳ３１４に示す前回出力したアドレスデータに設定したアドレスステータスがアドレスステータス「１」の場合とは、前回検出の訂正後アドレスと前々回検出の訂正後アドレスとがそれぞれ訂正エラーのなかったアドレスであり、かつ、前回検出の訂正後アドレスの値が前々回検出の訂正後アドレスの値と連続している場合のことである。
【００４８】
一方、アドレスステータス設定部３４により、前回出力したアドレスデータに設定したアドレスステータスがアドレスステータス「１」ではなかったと判定された場合（ステップＳ３１４，ＮＯ）、アドレスステータス設定部３４は、今回検出のアドレスデータのアドレスステータスを図２に示したアドレスステータス「４」（異常−不連続）に設定する（ステップＳ３１６）。
【００４９】
次に、図４のフローチャートを参照して、アドレスデータ及びアドレスステータスの第２の設定手順例を説明する。なお、図４のフローチャートは図３のフローチャートに示すステップＳ３１４〜ステップＳ３１６を、ステップＳ４１４〜ステップＳ４１８に変更したものである。それ以外のステップＳ４０１〜Ｓ４１３の処理については、図３のステップＳ３０１〜Ｓ３１３とそれぞれ同一の処理であるので、説明を省略する。
【００５０】
ステップＳ４１３に続いて、アドレス連続性検査部３３は、前回検出の訂正後アドレスに訂正エラーがあったか否かを判定する（ステップＳ４１４）。
【００５１】
アドレス連続性検査部３３により、前回検出の訂正後アドレスに訂正エラーがなかったと判定された場合（ステップＳ４１４，ＮＯ）、アドレス連続性検査部３３は、前々回検出の訂正後アドレスに訂正エラーがあったか否かを判定する（ステップＳ４１５）。
【００５２】
アドレス連続性検査部３３により、前々回検出の訂正後アドレスに訂正エラーがなかったと判定された場合（ステップＳ４１５，ＮＯ）、アドレス連続性検査部３３は、前回検出の訂正後アドレスの値が前々回検出の訂正後アドレスの値に連続していたか否かを判定する（ステップＳ４１６）。
【００５３】
アドレス連続性検査部３３により、前回検出の訂正後アドレスの値が前々回検出の訂正後アドレスの値に連続していたと判定された場合（ステップＳ４１６，ＹＥＳ）、アドレスステータス設定部３４は、アドレスステータスを図２に示したアドレスステータス「３」（異常−連続）に設定する（ステップＳ４１７）。
【００５４】
一方、アドレス連続性検査部３３により、前回検出の訂正後アドレスに訂正エラーがあったと判定された場合（ステップＳ４１４，ＹＥＳ）、または前々回検出の訂正後アドレスに訂正エラーがあったと判定された場合（ステップＳ４１５，ＹＥＳ）、あるいは前回検出の訂正後アドレスの値が前々回検出の訂正後アドレスの値に連続していなかったと判定された場合（ステップＳ４１６，ＮＯ）、アドレスステータス設定部３４は、アドレスステータスを図２に示したアドレスステータス「４」（異常−不連続）に設定する（ステップＳ４１８）。
【００５５】
次に、図５を参照して、図３のフローチャートを用いた場合のアドレスデータ及びアドレスステータスの設定例を説明する。なお、図５は光ディスク記録再生装置１００を立上げ後に初めてアドレスを検出する場合の一例を示したものである。
【００５６】
１回目のアドレス検出後、訂正エラーのある訂正後アドレスＡがアドレス訂正部３２より出力される。訂正後アドレスＡは初回のアドレス検出によるものであり、ステップ３０１でアドレスステータス設定部３４及びアドレス補正部３５により、有効なアドレスは取得済みでないと判定される。
【００５７】
次に、ステップＳ３０２で、アドレスステータス設定部３４及びアドレス補正部３５により、今回検出の訂正後アドレスである訂正後アドレスＡは、訂正エラーがあると判定される。そのため、アドレスとして採用することができない結果となり、ステップＳ３０５でアドレス補正部３５により、初回のアドレスデータを“０”と設定される。また、ステップＳ３０６でアドレスステータス設定部３４により、アドレスステータス「５」（失敗）と設定される。
【００５８】
２回目のアドレス検出後、訂正エラーのない訂正後アドレスＢがアドレス訂正部３２より出力される。１回目で有効なアドレスは取得されていないので、ステップ３０１でアドレスステータス設定部３４及びアドレス補正部３５により、有効なアドレスは取得済みでないと判定される。
【００５９】
次に、ステップＳ３０２で、アドレスステータス設定部３４及びアドレス補正部３５により、今回検出の訂正後アドレスである訂正後アドレスＢは、訂正エラーがないと判定される。そのため、そのままアドレスとして採用できる結果となり、ステップＳ３０３でアドレス補正部３５により訂正後アドレスＢがアドレスデータとして設定される。また、ステップＳ３０４で、アドレスステータス設定部３４によりアドレスステータスはアドレスステータス「２」（正常−不連続）と設定される。なお、訂正後アドレスＢは前回検出した訂正後アドレスＡと値が連続する関係にはなっているものの、前回検出の訂正後アドレスＡは訂正エラーがあって信頼性が低いため、ここではアドレスの連続性なしとみなしている。
【００６０】
３回目のアドレス検出後、訂正エラーのない訂正後アドレスＣがアドレス訂正部３２より出力される。２回目で有効なアドレスが取得されているので、ステップ３０１でアドレスステータス設定部３４及びアドレス補正部３５により、有効なアドレスが取得済みであると判定される。
【００６１】
次に、ステップＳ３０７で、アドレスステータス設定部３４及びアドレス補正部３５により、今回検出の訂正後アドレスである訂正後アドレスＣは訂正エラーがないと判定される。そのため、そのままアドレスとして採用できる結果となり、ステップＳ３０８でアドレス補正部３５により訂正後アドレスＣがアドレスデータとして設定される。
【００６２】
続いて、２回目の訂正後アドレスに訂正エラーはなかったため、ステップＳ３０９で、アドレス連続性検査部３３により前回検出の訂正後アドレスに訂正エラーなしと判定される。さらに、アドレスデータの値Ｃは（Ｂ＋α）と等しいので、ステップＳ３１０で、アドレス連続性検査部３３により、アドレスが正しく連続していると判定される。続いて、アドレスステータス設定部３４により、アドレスステータスはアドレスステータス「１」（正常−連続）に設定される。
【００６３】
４回目のアドレス検出後、訂正エラーありの訂正後アドレスＤがアドレス訂正部３２より出力される。既に有効なアドレスが取得されているので、ステップ３０１でアドレスステータス設定部３４及びアドレス補正部３５により、有効なアドレスが取得済みであると判定される。
【００６４】
次に、ステップＳ３０７で、アドレスステータス設定部３４及びアドレス補正部３５により、今回検出の訂正後アドレスである訂正後アドレスＤは、訂正エラーがあると判定される。そのため、そのままアドレスとして採用できない結果となり、ステップＳ３１３でアドレス補正部３５により、前回検出のアドレスデータの値Ｃにαを加算した値、すなわち補正アドレス（Ｃ＋α）を採用する。
【００６５】
続いて、ステップＳ３１４で、アドレス連続性検査部３３により前回（３回目）のアドレスデータのアドレスステータスが、アドレスステータス「１」であったと判定される。そして、ステップＳ３１５で、アドレスステータス設定部１４によりアドレスステータスは、アドレスステータス「３」（異常−連続）に設定される。なお、前回のアドレスステータスがアドレスステータス「１」であったので、すなわち前回検出の訂正後アドレスＣには訂正エラーがなく、かつ、前回検出の訂正後アドレスＣの値は前々回検出の訂正後アドレスＢの値に正しく連続している状態であったので、その訂正後アドレスＣを基にした補正アドレス（Ｃ＋α）は正しい可能性が高いといえる。
【００６６】
５回目のアドレス検出後、訂正エラーありの訂正後アドレスＥがアドレス訂正部３２より出力される。既に有効なアドレスが取得されているので、ステップ３０１でアドレスステータス設定部３４及びアドレス補正部３５により、有効なアドレスが取得済みであると判定される。
【００６７】
次に、ステップＳ３０７で、アドレスステータス設定部３４及びアドレス補正部３５により、今回検出の訂正後アドレスである訂正後アドレスＥは、訂正エラーがあると判定される。そのため、そのままアドレスとして採用できない結果となり、ステップＳ３１３でアドレス補正部３５により、前回検出のアドレスデータの値（Ｃ＋α）にαを加算した値、すなわち補正アドレス（Ｃ＋２α）を採用する。
【００６８】
続いて、ステップＳ３１４で、アドレス連続性検査部３３により前回（４回目）のアドレスデータのアドレスステータスが、アドレスステータス「３」であったと判定される。そして、ステップＳ３１６で、アドレスステータス設定部１４によりアドレスステータスは、アドレスステータス「４」（異常−連続）に設定される。なお、前回のアドレスステータスがアドレスステータス「３」であったので、すなわち訂正後アドレスＤには訂正エラーがあり、かつ、前回検出の訂正後アドレスＤの値は前々回検出の訂正後アドレスＣの値に不連続な状態であったので、補正アドレス（Ｃ＋２α）は正しい可能性が低くなっているといえる。
【００６９】
６回目のアドレス検出後、訂正エラーのない訂正後アドレスＦがアドレス訂正部３２より出力される。既に有効なアドレスが取得されているので、ステップ３０１でアドレスステータス設定部３４及びアドレス補正部３５により、有効なアドレスが取得済みであると判定される。
【００７０】
次に、ステップＳ３０７で、アドレスステータス設定部３４及びアドレス補正部３５により、今回検出の訂正後アドレスである訂正後アドレスＦは、訂正エラーがないと判定される。そのため、そのままアドレスとして採用できる結果となり、ステップＳ３０８でアドレス補正部３５により訂正後アドレスＦがアドレスデータとして設定される。さらに、ステップＳ３０９で、アドレス連続性検査部３３により、前回検出の訂正後アドレスＥには訂正エラーがあったと判定される。続いて、ステップＳ３１２で、アドレスステータス設定部３４により、アドレスステータスはアドレスステータス「２」（正常−不連続）に設定される。
【００７１】
以上のように、本実施の形態の光ディスク記録再生装置１００は、初回からのアドレス検出であっても、訂正エラーのない訂正後アドレスが１つ検出された時点でアドレスデータとして採用する構成のため、訂正後アドレスが連続するのを待つことなく、誤りの少ないアドレスデータを早く利用することが可能である。また、アドレスの信頼性の指標となるアドレスステータスをアドレスデータと共に出力するので、検出されたアドレスデータを利用するかどうかを用途に応じて適宜変更することが可能となる。
【００７２】
次に、図６を参照して、検出アドレスの利用例を説明する。なお、図６は、光ディスク記録再生装置１００で（ｎ＋１）回目と（ｎ＋２）回目のアドレス検出の間に、トラックジャンプが発生している場合の一例を示している。なお、ｎは自然数である。
【００７３】
図６に示すｎ回目のアドレス検出から（ｎ＋８）回目のアドレス検出において、アドレス補正部３５より出力されるアドレスデータａ、及びアドレスステータス設定部３４より出力されるアドレスステータスｂは、図１のアドレス検出部３１でアドレス検出され、さらにアドレス訂正部３２でアドレスの誤り検出と誤り訂正が行われた訂正後アドレスＧ〜Ｏに対応する。
【００７４】
また、トラックジャンプが発生した直後の（ｎ＋２）回目において検出された訂正後アドレスＩは、訂正エラーはないものの、前回検出の訂正後アドレスＨとはアドレスの値が連続していないため、アドレスステータスはアドレスステータス「２」（正常−不連続）に設定されている。
【００７５】
さらに、トラックジャンプ後の暫くの期間である（ｎ＋３）回目のアドレス検出から（ｎ＋５）回目のアドレス検出では信号の再生状態が不安定となったことにより、１回おきに訂正エラーありの訂正後アドレスが検出されており、訂正エラーなしで連続した訂正後アドレスが検出されるのは（ｎ＋７）回目のアドレス検出以降となっている。
【００７６】
本実施の形態において、サーチ処理で利用するアドレスデータに設定されているアドレスステータスをアドレスステータス「１」及び「２」、再生処理で利用するアドレスデータに設定されているアドレスステータスをアドレスステータス「１」、「２」及び「４」、記録処理で利用するアドレスデータに設定されているアドレスステータスをアドレスステータス「１」とする。それぞれの処理が利用するアドレスデータの可否は、図６のサーチ処理での利用ｃ、再生処理での利用ｄ、記録処理での利用ｅに示している。
【００７７】
なお、図６には示していないが、再生処理と記録処理では、アドレスステータス「３」に設定されているアドレスデータも利用してもよいものである。アドレスステータス「３」に設定されているアドレスデータは、前述したように、前々回検出の訂正後アドレスと連続している前回検出の訂正後アドレスに基づいて生成された補正アドレスであり、正しい可能性が高いからである。
【００７８】
図６に示すように、本実施の形態によれば、サーチ処理では（ｎ＋２）回目、及び（ｎ＋４）回目、及び（ｎ＋６）回目以降のアドレスデータが利用でき、特にトラックジャンプ直後の（ｎ＋２）回目のアドレスデータが利用可能となる。そのため、採用アドレスと実際にアクセスしているアドレスとのずれを防ぐことができ、また、サーチアドレスがアドレスデータＩ〜Ｏのいずれであってもトラックジャンプ後、すぐにサーチを終了することが可能である。
【００７９】
また、本実施の形態によれば、再生処理ではトラックジャンプ後の全てのアドレスデータが利用可能となる。そのため、再生開始アドレスがアドレスデータＩ〜０のいずれであっても、サーチ終了後直ぐに再生を開始することが可能である。
【００８０】
さらに、本実施の形態によれば、記録処理ではトラックジャンプ後に連続した値のアドレスデータが検出される（ｎ＋７）回目のアドレス検出以降のアドレスステータスがアドレスステータス「１」に設定されているアドレスデータが利用可能となるため、トラックジャンプ直後の不安定な状態で検出された誤検出の可能性があるアドレスを利用することがなく、誤った記録を実行してしまう問題を防ぐことが可能である。
【００８１】
なお、上述のサーチ処理や再生処理では誤検出の可能性があるアドレスデータ（アドレスステータス２に設定されているアドレスデータ）も利用することになるが、仮に誤検出が起きて誤った処理を行ってしまった場合でも、サーチ処理や再生処理は記録処理とは違い、再度処理を操り返すことで復帰することが可能なため、特に問題はない。
【００８２】
また、再生処理では訂正エラー時の補正アドレス（アドレスステータス「４」に設定されているアドレスデータ）も利用することになる。しかし、再生処理の場合は、直前に必ずサーチ処理が行われ、そこで検出された訂正エラーのないアドレスデータ（アドレスステータス「１」または「２」に設定されているアドレスデータ）を基にして補正されたアドレスであることから、誤ったアドレスである可能性は低くなっているので、問題はない。
【００８３】
ここで、図６のようなアドレス検出状態において、従来の方法を適用した場合の問題について説明する。検出したアドレスが２つ以上連続した場合に有効なアドレスとして採用する従来の方法を適用した場合、トラックジャンプ後に実際にアクセスしているアドレスが採用されるのは図６の（ｎ＋７）回目のアドレス検出以降となり、（ｎ＋６）回目以前のアドレス検出ではトラックジャンプ前のアドレスＨを基に補正したアドレス（Ｈ＋α）、（Ｈ＋２α）、・・・を誤って採用することになる。この結果、サーチ処理、再生処理において、サーチアドレスや再生開始アドレスがアドレスＩ〜Ｍに設定された場合には、正しく処理が行われないという問題が発生する。
【００８４】
また、アドレスの連続性を確認せずにアドレスを採用するような方法を適用した場合には、トラックジャンプ直後の（ｎ＋２）回目のアドレス検出から実際にアクセスしているアドレスを採用することが可能になる。しかし、この方法の場合、サーチ処理では訂正エラーの有無に関わらずにアドレスを利用することになるため、検出エラーのある（ｎ＋３）回目や（ｎ＋５）回目のような信頼性の低い補正アドレスを利用して間違った処理を行う危険性が生じる。
【００８５】
また、アドレスの連続性を確認せずにアドレスを採用するような方法における記録処理では、誤検出の可能性があるトラックジャンプ直後の（ｎ＋２）回目〜（ｎ＋６）回目のアドレスも利用することになるため、間違ったアドレスに記録してしまう問題を防ぐことができなくなる。
【００８６】
以上のように、従来の方法ではトラックジャンプ発生直後の不安定な状態でのアドレス検出において、誤ったアドレスを利用する可能性が高く、その結果正しいサーチ処理や再生処理、記録処理が行われないという問題が生じる。
【００８７】
これに対し、本実施の形態の光ディスク記録再生装置によれば、そのような場合においても誤ったアドレスを利用することが少なく、またサーチ処理、再生処理、記録処理の各処理に応じた最適な方法でアドレスを利用することが可能となるため、エラーの少ないサーチ処理、再生処理、記録処理を実現することが可能となる。さらに、本実施の形態によれば、正しいアドレスを従来よりも早く利用可能にすることができるため、速度を優先した処理を実現することも容易となる。
【００８８】
なお、本発明は上記の実施の形態に限定されるものではない。例えば、図１における各部２〜７、３１〜３５はハードウェアで構成される電子回路に限らず、各機能の一部、もしくは全部をコンピュータにより実行させるコンピュータプログラムも本発明に包含される。この場合、コンピュータプログラムは、ネットワークを介して配信されてコンピュータに取り込まれてもよいし、記録媒体に記録されていて記録媒体からコンピュータに取り込まれてもよいし、ファームウェアとして装置内に組み込まれていてもよい。
【図面の簡単な説明】
【００８９】
【図１】本発明になる光ディスク記録再生装置の一実施の形態のブロック図である。
【図２】本発明になる光ディスク記録再生装置において設定されるアドレスステータスの種類を説明するための図である。
【図３】本発明になる光ディスク記録再生装置におけるアドレスデータ及びアドレスステータスの第１の設定手順例を説明するためのフローチャートである。
【図４】本発明になる光ディスク記録再生装置におけるアドレスデータ及びアドレスステータスの第２の設定手順例を説明するためのフローチャートである。
【図５】本発明になる光ディスク記録再生装置におけるアドレスデータ及びアドレスステータスの設定例を説明するための図である。
【図６】本発明になる光ディスク記録再生装置における検出アドレスの利用例を説明するための図である。
【符号の説明】
【００９０】
１  光ディスク
２  ピックアップ（ＰＵ）
４  再生処理部
５  サーチ処理部
６  記録処理部
３１  アドレス検出部
３２  アドレス訂正部
３３  アドレス連続性検査部
３４  アドレスステータス設定部
３５  アドレス補正部
【図１】
2010135046.tif 000003
【図２】
2010135046.tif 000004
【図３】
2010135046.tif 000005
【図４】
2010135046.tif 000006
【図５】
2010135046.tif 000007
【図６】
2010135046.tif 000008